(57)【要約】      （修正有）【課題】  組立て作業や分解作業を容易に行うことのできる回動パネル装置を提供する。【解決手段】  ＩＣカードリーダライタ装置１は、装置本体２と、装置本体２に対して回動中心線Ｘのまわりを回動可能に取り付けられたカードホルダ４とを備える。装置本体２は、回動中心線上に嵌合リブ１７を備える。カードホルダ４は、スロット側ケース１０とカバー側ケース１１に分割可能であり、二つのケース１０、１１を組み合わせたときに嵌合リブ１７が挟み込まれる嵌合孔３０を備える。スロット側ケース１０には、係合孔が設けられ、カバー側ケース１１には、係合孔にスライド係合する係合爪が設けられる。嵌合リブ１７には、スロット側ケース１０の係合孔とカバー側ケース１１の係合爪をスライド係合するときのスライド量Ｓ以上の逃げスペースが設けられている。【選択図】  図１
2007294703.tif 000002
【特許請求の範囲】
【請求項１】
ベースと、
前記ベースに対して回動中心線のまわりを回動可能に取り付けられた回動パネルと、
を備え、
前記ベースは、前記回動中心線上に嵌合部を備え、
前記回動パネルは、第１ケースと第２ケースに分割可能であり、前記第１ケースと前記第２ケースを組み合わせたときに前記嵌合部が挟み込まれる被嵌合部を備え、
前記第１ケースには、係合部が設けられ、前記第２ケースには、前記係合部がスライド係合する被係合部が設けられ、前記嵌合部または前記被嵌合部には、前記嵌合部が前記被嵌合部に挟み込まれた状態で前記第１ケースの係合部を前記第２ケースの被係合部にスライド係合するときのスライド量以上の逃げスペースが設けられたことを特徴とする回動パネル装置。
【請求項２】
前記逃げスペースは、前記嵌合部に設けられ、
前記嵌合部は、外周面の形状が前記回動中心線方向視の中心角が１８０°以上の円筒面形状である部分円筒外周部と、前記第１ケースの係合部を前記第２ケースの被係合部から係合解除するときのスライド解除方向に向けて凹んだ凹形状である逃げスペース用の逃げ凹部を備え、
前記被嵌合部は、内周面の形状が前記回動中心線を中心とする円筒面形状であり、前記嵌合部の部分円筒外周部が嵌合する円筒内周部を備えたことを特徴とする請求項１に記載の回動パネル装置。
【請求項３】
前記逃げ凹部は、前記ベースに対する前記回動パネルの開閉範囲で最大の開閉位置である全開位置において、前記スライド解除方向に向けて凹んだ凹形状に形成されたことを特徴とする請求項２に記載の回動パネル装置。
【請求項４】
前記第１ケースの係合部および前記第２ケースの被係合部は、前記回動パネルの内部に設けられたことを特徴とする請求項１ないし請求項３のいずれかに記載の回動パネル装置。
【請求項５】
前記第１ケースの係合部および前記第２ケースの被係合部は、前記回動パネルの被嵌合部の近傍に設けられたことを特徴とする請求項１ないし請求項４のいずれかに記載の回動パネル装置。
【発明の詳細な説明】
【技術分野】
【０００１】
本発明は、組立て作業や分解作業の作業性を向上した回動パネル装置に関するものである。
【背景技術】
【０００２】
従来、例えば回動パネル装置等の筐体として、第１ケースと第２ケースに分割可能な筐体が用いられる。このような筐体では、第１ケースに折り曲げ自在な係止片が設けられており、第２ケースに穴部と溝部が設けられている（例えば特許文献１参照）。
【０００３】
従来の筐体では、第１ケースと第２ケースを嵌め合わせた後、第１ケースの係止片を第２ケースの穴部に挿通する。そして、係止片を溝部側へ折り曲げて溝部内に嵌入し、第１ケースと第２ケースを係止片で係止する。このように、従来の筐体では、ねじを用いることなく筐体の組立てが可能である。
【特許文献１】特開２００４−１５２８３１号公報（第５−１０頁、第１図）
【発明の開示】
【発明が解決しようとする課題】
【０００４】
しかしながら、従来の筐体においては、筐体の組立て後に筐体を分解（第１ケースと第２ケースに分割）することが容易でなく、筐体の内部の部品の修理や製品廃棄時における部品の再利用および分別回収等を行う際の作業性が低いという問題があった。また、従来の筐体においては、筐体の一方のケース（第２ケース）に穴部や溝部が設けられているので、筐体の外観が損なわれる（見栄えが良くない）という問題があった。そこで、筐体の見栄えを良くするために、穴部や溝部にカバー部材を取り付けることも考えられるが、その場合には、部品点数や組立て作業工程が増え、組立て作業性が低下するという問題があった。
【０００５】
本発明は、上記従来の問題を解決するためになされたもので、組立て作業や分解作業を容易に行うことのできる回動パネル装置を提供することを目的とする。
【課題を解決するための手段】
【０００６】
本発明の回動パネル装置は、ベースと、前記ベースに対して回動中心線のまわりを回動可能に取り付けられた回動パネルと、を備え、前記ベースは、前記回動中心線上に嵌合部を備え、前記回動パネルは、第１ケースと第２ケースに分割可能であり、前記第１ケースと前記第２ケースを組み合わせたときに前記嵌合部が挟み込まれる被嵌合部を備え、前記第１ケースには、係合部が設けられ、前記第２ケースには、前記係合部がスライド係合する被係合部が設けられ、前記嵌合部または前記被嵌合部には、前記嵌合部が前記被嵌合部に挟み込まれた状態で前記第１ケースの係合部を前記第２ケースの被係合部にスライド係合するときのスライド量以上の逃げスペースが設けられた構成を有している。
【０００７】
この構成により、回動パネル装置を組み立てるときには、回動パネルの被嵌合部でベースの嵌合部を挟み込んで、回動パネルの第１ケースを第２ケースに対してスライドさせる。これにより、第１ケースの係合部が第２ケースの被係合部にスライド係合して、回動パネルが組み合わせられるとともに、回動パネルの被嵌合部にベースの嵌合部が嵌合して、回動パネルがベースに対して回動可能に取り付けられる。一方、回動パネル装置を分解するときには、回動パネルの第１ケースを第２ケースに対して逆方向にスライドさせる。これにより、第１ケースの係合部が第２ケースの被係合部から係合解除され、回動パネルが分割可能となる。この場合、嵌合部または被嵌合部にスライド量以上の逃げスペースが確保されているので、第１ケースの係合部を第２ケースの被係合部にスライド係合または係合解除するときに、嵌合部と被嵌合部が互いに干渉するのを防ぐことができる。したがって、回動パネル装置の組立て作業や分解作業を容易に行うことができる。また、回動パネルの第１ケースと第２ケースを組み合わせた状態で、嵌合部が被嵌合部に挟み込まれた状態で嵌合しているので、嵌合部を回動中心として回動パネルをベースに対して回動することが可能である。また、係合部が被係合部にスライド係合しているので、回動パネルの組立て強度が高い。
【０００８】
また、本発明の回動パネル装置では、前記逃げスペースは、前記嵌合部に設けられ、前記嵌合部は、外周面の形状が前記回動中心線方向視の中心角が１８０°以上の円筒面形状である部分円筒外周部と、前記第１ケースの係合部を前記第２ケースの被係合部から係合解除するときのスライド解除方向に向けて凹んだ凹形状である逃げスペース用の逃げ凹部を備え、前記被嵌合部は、内周面の形状が前記回動中心線を中心とする円筒面形状であり、前記嵌合部の部分円筒外周部が嵌合する円筒内周部を備えた構成を有している。
【０００９】
この構成により、嵌合部が被嵌合部に挟み込まれた状態で嵌合しているとき、部分円筒外周部が１８０°以上の中心角の円筒面形状であるので、嵌合部の部分円筒外周部の外周面が被嵌合部の円筒内周部の内周面に接触した状態で、回動パネルの被嵌合部にベースの嵌合部が確実に軸支される。これにより、嵌合部を回動中心として回動パネルをベースに対して円滑に回動することが可能である。また、嵌合部には、逃げスペース用の逃げ凹部が備えられている。この逃げ凹部は、第１ケースの係合部を第２ケースの被係合部から係合解除するときのスライド解除方向に向けて凹んでいるので、第１ケースの係合部を第２ケースの被係合部にスライド係合または係合解除するときに、嵌合部と被嵌合部が互いに干渉するのを防ぐことができる。
【００１０】
また、本発明の回動パネル装置では、前記逃げ凹部は、前記ベースに対する前記回動パネルの開閉範囲で最大の開閉位置である全開位置において、前記スライド解除方向に向けて凹んだ凹形状に形成された構成を有している。
【００１１】
この構成により、回動パネルを全開位置にしたときにのみ、回動パネルの第１ケースを第２ケースに対してスライドさせて、第１ケースの係合部と第２ケースの被係合部を容易にスライド係合または係合解除することができる。回動パネルを全開位置以外の開閉位置にしたときには、嵌合部と被嵌合部が干渉して、第１ケースの係合部と第２ケースの被係合部とをスライド係合または係合解除するのが防止される。
【００１２】
また、本発明の回動パネル装置では、前記第１ケースの係合部および前記第２ケースの被係合部は、前記回動パネルの内部に設けられた構成を有している。この構成により、係合部または被係合部によって、回動パネルの外観を損なうことがない。そのため、従来のように、回動パネルの見栄えを良くするためにカバー部材を取り付ける必要がなく、部品点数や組立て作業工程が増えて組立て作業性が低下することがない。
【００１３】
また、本発明の回動パネル装置では、前記第１ケースの係合部および前記第２ケースの被係合部は、前記回動パネルの被嵌合部の近傍に設けられた構成を有している。この構成により、回動パネルの被嵌合部の近傍における組立て強度が向上する。
【発明の効果】
【００１４】
本発明は、ベースの嵌合部または回動パネルの被嵌合部に、回動パネルの第１ケースの係合部を第２ケースの被係合部にスライド係合するときのスライド量以上の逃げスペースを設けることにより、組立て作業や分解作業を容易に行うことができるという効果を有する回動パネル装置を提供することができるものである。
【発明を実施するための最良の形態】
【００１５】
以下、本発明の実施の形態の回動パネル装置について、図面を用いて説明する。本実施の形態では、例えば、ＩＣカードリーダライタ装置の場合を例示する。このＩＣカードリーダライタ装置は、ＩＣカードに記録された情報の読取りおよび追記（例えば、住所情報の確認、変更情報の追加等）を行う装置である。また、ＩＣカードリーダライタ装置で処理するＩＣカードは、例えば、運転免許証、旅券（パスポート）、健康保険証、住民票などの身分証明書として用いられる身分証明用（本人確認用）のＩＣカードである。
【００１６】
本発明の実施の形態のＩＣカードリーダライタ装置を図１〜図１２に示す。図１は、本実施の形態のＩＣカードリーダライタ装置１の側面からの断面図である。図２は、ＩＣカードリーダライタ装置１の斜視図である。図１および図２に示すように、ＩＣカードリーダライタ装置１は、装置本体２と、装置本体２にヒンジ部３を介して回動可能に取り付けられるカードホルダ４で構成されている。ここでは、装置本体２が、本発明のベースに相当し、カードホルダ４が、本発明の回動パネルに相当する。
【００１７】
装置本体２の上面の中央部分には、作業者識別カード５を載置するための識別カード載せ台６が設けられている。この作業者識別カード５は、ＩＣカード１４の情報の読取りおよび追記作業を行う作業者の認証を行うための認証用ＩＣカードであり、作業者の認証を行うための認証データが記録されたＩＣチップ７が内蔵されている（図２参照）。そして、識別カード載せ台６の下側には、作業者識別カード５のＩＣチップ７と非接触通信可能な識別カード用アンテナ８が備えられている（図１参照）。
【００１８】
装置本体２の上面の手前側部分には、指紋を用いて作業者の認証を行う指紋認証装置９が備えられている。また、ここでは特に図示しないが、装置本体２には、通信ケーブルを介してコンピュータ端末が接続されている。そして、このＩＣカードリーダライタ装置１は、コンピュータ端末で作業者の識別パスワードを入力することにより、作業者の認証を行うことができるように構成されている。
【００１９】
図３は、ＩＣカードリーダライタ装置１のカードホルダ４の分解斜視図である。図３に示すように、カードホルダ４は、カードホルダ４を全開位置にした状態（全開状態）で、上側（図３、図８における上側）のスロット側ケース１０と、下側（図３、図８における下側）のカバー側ケース１１に分割可能である。ここでは、スロット側ケース１０が、本発明の第１ケースに相当し、カバー側ケース１１が、本発明の第２ケースに相当する。また、全開位置とは、装置本体２に対するカードホルダ４の開閉範囲で最大の開閉位置をいい、本実施の形態では、折り畳まれたカードホルダ４を１８０°回動させて水平状態まで開いた位置をいう（図７および図８参照）。
【００２０】
スロット側ケース１０の中央部分には、透明電磁遮蔽板１２を備えたＩＣカードスロット１３が設けられている。このＩＣカードスロット１３に、ＩＣカード１４が差し込まれる（図２参照）。ＩＣカード１４のカード面の中央部分には、ＩＣカード１４の所有者の顔写真、氏名、年齢、住所などの個人情報が記載されている。また、ＩＣカード１４には、これらの個人情報が記録されたＩＣチップ１５が内蔵されている。一方、カバー側ケース１１の中央部分には、ＩＣカード１４のＩＣチップ１５と非接触通信可能なＩＣカード用アンテナ１６が備えられている（図１参照）。
【００２１】
このようなスロット側ケース１０とカバー側ケース１１で構成されたカードホルダ４が、装置本体２にヒンジ部３を介して１８０°回動可能に取り付けられる。図４は、ＩＣカードリーダライタ装置１の装置本体２のヒンジ部３の拡大斜視図である。図５は、カバー側ケース１１の裏面側の斜視図であり、図６は、スロット側ケース１０の裏面側の斜視図である。そして、図７は、全開状態におけるＩＣカードリーダライタ装置１の斜視図であり、図８は、全開状態におけるＩＣカードリーダライタ装置１の断面図である。
【００２２】
図４に示すように、装置本体２の上面の上辺部分（識別カード載せ台６の上側部分）には、上面から突出した凸形状のヒンジ部３が左右一対設けられている。左右一対のヒンジ部３の互いに向かい合う内側壁面には、それぞれ内側に向けて突出した嵌合リブ１７が左右一対設けられている。ここでは、嵌合リブ１７が、本発明の嵌合部に相当する。
【００２３】
嵌合リブ１７は、外周面の一部が中心へ向けて凹んだ円筒形状をしている。本実施の形態の嵌合リブ１７は、中心角が約２７０°の円筒面形状の部分円筒外周部１８と、中心角が約９０°の逃げ凹部１９で構成されている。この逃げ凹部１９は、後述する所定のスライド量Ｓだけスライド解除方向（図９における左方向）にオフセットした円筒面で形成されている。ここでは、オフセット分のスペースが、本発明の逃げスペースに相当する。
【００２４】
この場合、図９における上方向を時計１２時方向とすると、部分円筒外周部１８は、ほぼ時計３時方向から時計１２時方向までの円筒で構成されており、逃げ凹部１９は、時計１２時方向からほぼ時計３時方向までの円筒で構成されているともいえる。また、嵌合リブ１７は、中心角が約２７０°の円筒と中心角が約９０°の円筒を組み合わせた形状を有しているともいえる。
【００２５】
図５に示すように、カバー側ケース１１は、略四角形状の本体部２０と、本体部２０の下辺から突出したヒンジ凸部２１が設けられている。ここで、下辺とは、カードホルダ４を全開状態にしたときの下辺をいう（図３および図７参照）。ヒンジ凸部２１の左右側面には、左右一対の半円形状の切欠き部２２が形成されている。また、カバー側ケース１１の裏面においては、ヒンジ凸部２１の下辺に、内側（上辺側）に向けて突出した係合爪２３が設けられており、本体部２０の上辺に、３つの係合孔２４が設けられている。
【００２６】
図６に示すように、スロット側ケース１０は、略四角形状の本体部２５と、本体部２５の下辺から突出したヒンジ凸部２６が設けられている。ヒンジ凸部２６の左右側面には、左右一対の半円形状の切欠き部２７が形成されている。また、スロット側ケース１０の裏面においては、ヒンジ凸部２６の下辺に、係合孔２８が設けられており、本体部２５の上辺に、内側（下辺側）に向けて突出した３つの係合爪２９が設けられている。
【００２７】
そして、スロット側ケース１０とカバー側ケース１１を組み合わせた状態では、カードホルダ４の内部において、スロット側ケース１０のヒンジ凸部２６の係合孔２８にカバー側ケース１１のヒンジ凸部２１の係合爪２３がスライド係合するとともに、スロット側ケース１０の本体部２５の３つの係合爪２９にカバー側ケース１１の本体部２０の３つの係合孔２４にそれぞれスライド係合している。また、スロット側ケース１０の半円形状の切欠き部２７とカバー側ケース１１の半円形状の切欠き部２２が組み合わせられ、円形状の嵌合孔３０が形成される。嵌合孔３０の内周面は円筒面形状であり、嵌合孔３０は、円筒内周部を備えているともいえる。そして、カードホルダ４の嵌合孔３０には、装置本体２の嵌合リブ１７が挟み込まれて回転可能に嵌合している。このとき、スロット側ケース１０のヒンジ凸部２６の係合孔２８とカバー側ケース１１のヒンジ凸部２１の係合爪２３は、嵌合孔３０の近傍に位置している。ここでは、スロット側ケース１０とカバー側ケース１１を組み合わせたときの嵌合孔３０が、本発明の被嵌合部に相当する。また、スロット側ケース１０の係合孔２８および係合爪２９が、本発明の係合部に相当し、カバー側ケース１１の係合爪２３および係合孔２４が、本発明の被係合部に相当する。
【００２８】
このように、カードホルダ４は、嵌合リブ１７の中心線Ｘのまわりを回動するように、装置本体２に取り付けられている。したがって、嵌合リブ１７の中心線Ｘは、カードホルダ４の装置本体２に対する回動中心線であるともいえる。また、装置本体２の嵌合リブ１７を回動軸とし、カードホルダ４の嵌合孔３０を軸受けとして、カードホルダ４が装置本体２に対して回動可能に取り付けられているともいえる。
【００２９】
以上のように構成されたＩＣカードリーダライタ装置１について、以下その動作を説明する。
【００３０】
まず、本発明の実施の形態のＩＣカードリーダライタ装置１を組み立てるときの動作について説明する。ここでは、特に、装置本体２にカードホルダ４（スロット側ケース１０およびカバー側ケース１１）を組み付けるときの動作について説明する。
【００３１】
図９および図１０は、カードホルダ４を組み立てるときの動作を説明するためのヒンジ部３の拡大断面図である。本実施の形態では、カードホルダ４の組立ては、装置本体２に対するスロット側ケース１０およびカバー側ケース１１の位置が全開位置の状態（全開状態）で行われる（図７および図８参照）。
【００３２】
カードホルダ４を組み立てるときには、まず、装置本体２のヒンジ部３の嵌合リブ１７に、カバー側ケース１１の切欠き部２２を下側から嵌め合わせる（図３参照）。つぎに、スロット側ケース１０をカバー側ケース１１に上側から組み合わせて、嵌合リブ１７をスロット側ケース１０の切欠き部２７とカバー側ケース１１の切欠き部２２で嵌合リブ１７を挟み込む。
【００３３】
このとき、図９（ａ）に示すように、スロット側ケース１０とカバー側ケース１１は、所定のスライド量Ｓだけずれた状態で組み合わされている。したがって、この場合には、スロット側ケース１０の切欠き部２７の右半部が嵌合リブ１７の逃げ凹部１９に当接している。なお、この状態では、図１０（ａ）に示すように、カバー側ケース１１のヒンジ凸部２１の係合爪２３は、スロット側ケース１０のヒンジ凸部２６の係合孔２８に係合していない。同様に、スロット側ケース１０の本体部２５の３つの係合爪２９は、カバー側ケース１１の本体部２０の３つの係合孔２４にいずれも係合していない。
【００３４】
その後、スロット側ケース１０をカバー側ケース１１に対してスライド係合方向（図９および図１０における右方向）に所定のスライド量Ｓだけスライドさせる。そうすると、図１０（ｂ）に示すように、カバー側ケース１１のヒンジ凸部２１の係合爪２３が、スロット側ケース１０のヒンジ凸部２６の係合孔２８に係合するとともに、スロット側ケース１０の本体部２５の３つの係合爪２９が、カバー側ケース１１の本体部２０の３つの係合孔２４にそれぞれ係合する。そして、図９（ｂ）に示すように、スロット側ケース１０の切欠き部２７とカバー側ケース１１の切欠き部２２によって、カードホルダ４の嵌合孔３０が形成される。このとき、スロット側ケース１０の切欠き部２７の左半部が嵌合リブ１７の逃げ凹部１９に当接している。
【００３５】
このようにして、カードホルダ４が装置本体２に組み付けられる。
【００３６】
つぎに、ＩＣカードリーダライタ装置１を分解するときの動作について説明する。ここでは、特に、装置本体２に組み付けられたカードホルダ４を分解するときの動作について説明する。カードホルダ４の分解作業は、例えば、カードホルダ４内の部品の修理や製品廃棄時の部品の再利用および分別回収等をするときに行われる。
【００３７】
カードホルダ４を分解するときには、まず、装置本体２に対するカードホルダ４の位置を全開位置にする（図９（ｂ）および図１０（ｂ）参照）。そして、スロット側ケース１０をカバー側ケース１１に対してスライド解除方向（図９および図１０における左方向）に所定のスライド量Ｓだけスライドさせる。そうすると、図９（ａ）に示すように、スロット側ケース１０の切欠き部２７の右半部が嵌合リブ１７の逃げ凹部１９に当接する。そして、図１０（ａ）に示すように、カバー側ケース１１のヒンジ凸部２１の係合爪２３が、スロット側ケース１０のヒンジ凸部２６の係合孔２８から係合解除されるとともに、スロット側ケース１０の本体部２５の３つの係合爪２９が、カバー側ケース１１の本体部２０の３つの係合孔２４からそれぞれ係合解除される。
【００３８】
そして、スロット側ケース１０をカバー側ケース１１から取り外す。このようにして、カードホルダ４が分解される。
【００３９】
つづいて、ＩＣカードリーダライタ装置１の使用状態について説明する。
【００４０】
ＩＣカードリーダライタ装置１を使用するときには、カードホルダ４を装置本体２に対して回動させて、カードホルダ４の傾きを作業者の体格や姿勢等に合わせて、作業しやすい角度に調節する。例えば、ＩＣカード１４の記載内容を確認しやすい角度や、ＩＣカード１４の抜き差しを行いやすい角度に、カードホルダ４の傾きを調節する。
【００４１】
図１１は、ＩＣカードリーダライタ装置１の使用状態におけるヒンジ部３の拡大断面図である。図１１に示すように、カードホルダ４を装置本体２に対して回動させた状態では、嵌合リブ１７の逃げ凹部１９の凹み方向と、スロット側ケース１０とカバー側ケース１１とのスライド解除方向が一致していないため、スロット側ケース１０をカバー側ケース１１に対してスライドさせることができない。したがって、ＩＣカードリーダライタ装置１の使用状態において、不意にカードホルダ４が分解してしまうことが防止される。
【００４２】
このような発明の実施の形態のＩＣカードリーダライタ装置１によれば、装置本体２の嵌合リブ１７に、カードホルダ４のスロット側ケース１０の係合孔２８とカバー側ケース１１の係合爪２３とをスライド係合するときのスライド量Ｓ以上の逃げスペース（オフセット分のスペース）を設けることにより、組立て作業や分解作業を容易に行うことができる。
【００４３】
すなわち、本実施の形態では、嵌合リブ１７にスライド量Ｓ以上の逃げスペース（オフセット分のスペース）が確保されているので、スロット側ケース１０の係合孔２８とカバー側ケース１１の係合爪２３をスライド係合または係合解除するときに、嵌合リブ１７に干渉するのを防ぐことができる。したがって、ＩＣカードリーダライタ装置１のカードホルダ４の組立て作業や分解作業を容易に行うことができる。また、カードホルダ４のスロット側ケース１０とカバー側ケース１１を組み合わせた状態で、嵌合リブ１７が嵌合孔３０に挟み込まれた状態で嵌合しているので、嵌合リブ１７を回動中心としてカードホルダ４をベースに対して回動することが可能である。また、スロット側ケース１０の係合孔２８とカバー側ケース１１の係合爪２３をスライド係合しているので、カードホルダ４の組立て強度が高い。
【００４４】
また、本実施の形態では、嵌合リブ１７が嵌合孔３０に挟み込まれた状態で嵌合しているとき、部分円筒外周部１８が１８０°以上の中心角の円筒面形状であるので、嵌合リブ１７の部分円筒外周部１８の外周面が嵌合孔３０の円筒内周部の内周面に接触した状態で、カードホルダ４の嵌合孔３０にベースの嵌合リブ１７が確実に軸支される。これにより、嵌合リブ１７を回動中心としてカードホルダ４をベースに対して円滑に回動することが可能である。また、嵌合リブ１７には、逃げスペース用の逃げ凹部１９が備えられている。この逃げ凹部１９は、スロット側ケース１０の係合孔２８をカバー側ケース１１の係合爪２３から係合解除するときのスライド解除方向に向けて凹んでいるので、スロット側ケース１０の係合孔２８をカバー側ケース１１の係合爪２３にスライド係合または係合解除するときに、嵌合リブ１７に干渉するのを防ぐことができる。
【００４５】
また、本実施の形態では、カードホルダ４を全開位置にしたときにのみ、カードホルダ４のスロット側ケース１０をカバー側ケース１１に対してスライドさせて、スロット側ケース１０の係合孔２８とカバー側ケース１１の係合爪２３を容易にスライド係合または係合解除することができる。カードホルダ４を全開位置以外の開閉位置にしたときには、嵌合リブ１７に干渉して、スロット側ケース１０の係合孔２８とカバー側ケース１１の係合爪２３とをスライド係合または係合解除することができない。
【００４６】
例えば、カードホルダ４を全開位置にして組立てや分解作業を行うことができるので、ＩＣカードリーダライタ装置１のカードホルダ４の組立て作業や分解作業が容易である。つまり、カードホルダ４を全開位置にすることにより、設置面と平行である１８０°まで開いた状態で固定して組立て作業や分解作業を行うことができるので、組み付け部品の脱落や位置ずれ等が発生するのを防止できる。また、本実施の形態のように、カードホルダ４を全開位置以外の開閉位置で使用するＩＣカードリーダライタ装置１の場合、使用状態におけるカードホルダ４の組立て強度が高く、使用時に不意に係合孔２８が係合爪２３から係合解除されるのが防止される。
【００４７】
また、本実施の形態では、スロット側ケース１０の係合孔２８およびカバー側ケース１１の係合爪２３が、カードホルダ４の内部に設けられている。これにより、係合孔２８または係合爪２３によって、カードホルダ４の外観を損なうことがない。そのため、従来のように、カードホルダ４の見栄えを良くするためにカバー部材を取り付ける必要がなく、部品点数や組立て作業工程が増えて組立て作業性が低下することがない。
【００４８】
また、本実施の形態では、スロット側ケース１０の係合孔２８およびカバー側ケース１１の係合爪２３は、カードホルダ４の嵌合孔３０の近傍に設けられている。これにより、カードホルダ４の嵌合孔３０の近傍における組立て強度が向上する。すなわち、本実施の形態では、上記のように、カードホルダ４の両端部分（上辺部分と下辺部分）においてカバー側ケース１１とスロット側ケース１０がスライド係合している。したがって、例えば、カードホルダ４を回動させるときに、カードホルダ４の両端部分（特に、カードホルダ４の嵌合孔３０の近傍の下辺部分）が開いてしまうのを防止することができる。つまり、本実施の形態では、カードホルダ４を回動させるときには、カードホルダ４の先端部分（カードホルダ４の上辺部分）に力が加えられる。そうすると、カードホルダ４の先端部分が力点となり、嵌合孔３０が支点となり、テコの原理によって、カードホルダ４の嵌合孔３０の近傍の下辺部分が持ち上げられる。この場合、カードホルダ４の嵌合孔３０の近傍が係合しているので、カードホルダ４が開いてしまうのが防止される。
【００４９】
また、一般的には、スロット側ケース１０とカバー側ケース１１をスライド係合させてカードホルダ４をベースに回動可能に取り付けようとした場合、ベースの嵌合リブ１７とカードホルダ４の嵌合孔３０とが互いに干渉することとなり、ヒンジ構造の近傍にスライド係合構造を設けることは困難である。それに対して、本実施の形態では、逃がしスペースを設けることにより、スロット側ケース１０の係合孔２８および前記カバー側ケース１１の係合爪２３を、前記カードホルダ４の嵌合孔３０の近傍に設けることができる。
【００５０】
さらに、本実施の形態では、装置本体２のヒンジ部３とカードホルダ４のヒンジ凸部２１、２６とで構成されるヒンジ構造において、片持ちヒンジ構造が用いられている。片持ちヒンジ構造では、一般に、軸支されていない側にガタツキが発生するという問題があるのに対して、本実施の形態では、嵌合リブ１７によって、軸支されていない側の軸支位置の位置規制（位置決め）を行うことができるので、十分な支持強度を確保するとともに、ガタツキの発生を防ぐことができる。また、嵌合リブ１７によって、装置本体２のヒンジ部３とカードホルダ４のヒンジ凸部２１、２６との間の隙間を塞ぐことができ、ほこり等の異物混入を防止することができる。
【００５１】
なお、本実施の形態では、上記のように、カードホルダ４の両端部分（上辺部分と下辺部分）においてカバー側ケース１１とスロット側ケース１０がスライド係合された後、カバー側ケース１１とスロット側ケース１０の中央部分が３つのねじ３１で固定され、その上からカバー部材３２が取り付けられている。これにより、カードホルダ４の組立て強度がさらに向上する。
【００５２】
以上、本発明の実施の形態を例示により説明したが、本発明の範囲はこれらに限定されるものではなく、請求項に記載された範囲内において目的に応じて変更・変形することが可能である。
【００５３】
例えば、以上の説明では、ベースの嵌合部（装置本体２の嵌合リブ１７）に逃げスペースが設けられた場合を例示して説明したが、本発明の範囲はこれに限定されるものではなく、回動パネルの被嵌合部に逃げスペースを設けてもよい。その場合には、例えば、回動パネルの被嵌合部に、内周面の形状が回動中心線方向視の中心角が１８０°以上の円周面形状の部分円筒内周部と、逃げスペース用の逃げ凹部が設け、ベースの嵌合部に、外周面の形状が回動中心線を中心とする円筒面形状の円筒外周部を設ける。
【００５４】
また、以上の説明では、回動パネル装置の一例として、ＩＣカードリーダライタ装置１の場合を例示して説明したが、本発明の範囲はこれに限定されるものではない。
【産業上の利用可能性】
【００５５】
以上のように、本発明にかかる回動パネル装置は、例えば、ＩＣカードリーダライタ装置に用いられ、組立て作業や分解作業を容易に行うことができるという効果を有し、組立て作業や分解作業の作業性を向上した回動パネル装置等として有用である。
【図面の簡単な説明】
【００５６】
【図１】本発明の実施の形態におけるＩＣカードリーダライタ装置（使用状態）の側断面図
【図２】本発明の実施の形態におけるＩＣカードリーダライタ装置（使用状態）の斜視図
【図３】本発明の実施の形態におけるＩＣカードリーダライタ装置のカードホルダの分解斜視図
【図４】本発明の実施の形態における装置本体のヒンジ部の拡大斜視図
【図５】本発明の実施の形態におけるカバー側ケースの裏面側の斜視図
【図６】本発明の実施の形態におけるスロット側ケースの裏面側の斜視図
【図７】本発明の実施の形態におけるＩＣカードリーダライタ装置（全開状態）の斜視図
【図８】本発明の実施の形態におけるＩＣカードリーダライタ装置（全開状態）の側断面図
【図９】（ａ）本発明の実施の形態におけるＩＣカードリーダライタ装置のヒンジ部（スライド係合前）の拡大断面図  （ｂ）本発明の実施の形態におけるＩＣカードリーダライタ装置のヒンジ部（スライド係合後）の拡大断面図
【図１０】（ａ）本発明の実施の形態におけるＩＣカードリーダライタ装置の係合部（スライド係合前）の拡大断面図  （ｂ）本発明の実施の形態におけるＩＣカードリーダライタ装置の係合部（スライド係合後）の拡大断面図
【図１１】本発明の実施の形態におけるＩＣカードリーダライタ装置のヒンジ部（使用状態）の拡大断面図
【符号の説明】
【００５７】
１  ＩＣカードリーダライタ装置
２  装置本体
３  ヒンジ部
４  カードホルダ
１０  スロット側ケース
１１  カバー側ケース
１７  嵌合リブ
１８  部分円筒外周部
１９  逃げ凹部
２３  カバー側ケースの係合爪
２４  カバー側ケースの係合孔
２８  スロット側ケースの係合孔
２９  スロット側ケースの係合爪
３０  嵌合孔
Ｓ  スライド量
Ｘ  中心線
【図１】
2007294703.tif 000003
【図２】
2007294703.tif 000004
【図３】
2007294703.tif 000005
【図４】
2007294703.tif 000006
【図５】
2007294703.tif 000007
【図６】
2007294703.tif 000008
【図７】
2007294703.tif 000009
【図８】
2007294703.tif 000010
【図９】
2007294703.tif 000011
【図１０】
2007294703.tif 000012
【図１１】
2007294703.tif 000013